(57)【要約】      （修正有）【課題】スタッドを靴底のナット座体に螺合するとき、ねじ込むときの回転施力が大きすぎ、接続ボルトとキャップが離脱してしまうことのない靴用スパイクの提供。【解決手段】接続ボルト及びこの接続ボルト１０上に被せて設置するキャップ２０から構成され、そのうち、該接続ボルトはボルト体であり、このボルト体の一端に直径がやや大きいヘッド部１２を設け、このヘッド部の周縁部に上述のボルト体のネジ山と同じ偏向回転方向の斜め槽１３を設け、前記キャップは蓋体であり、このキャップの底面に前記接続ボルトのヘッド部より直径がやや小さい槽孔２２を設け、この槽孔を前記接続ボルトのヘッド部上に強制的に嵌合してスタッド１を構成する。【選択図】図４
0003119950.tif 000002
【実用新案登録請求の範囲】
【請求項１】
接続ボルトとキャップを含み、そのうち、前記接続ボルトがボルト体であり、前記ボルト体の一端に直径がやや大きいヘッド部を設け、前記ヘッド部の周縁部に前記ボルト体上のネジ山と同じ偏向回転方向の斜め槽を形成し、前記キャップは蓋体であり、前記キャップの底面に槽孔を設け、前記槽孔の直径が前記接続ボルトのヘッド部の外径よりやや小さく、前記接続ボルト上のヘッド部を前記キャップの槽孔内に嵌設して成る靴用スパイク。
【請求項２】
前記キャップ底面の周縁部に六角ナットを突出状に設けた請求項1に記載の靴用スパイク。
【請求項３】
前記キャップ底部に環状体を増設し、前記環状体上に通孔を設けた請求項1に記載の靴用スパイク。
【請求項４】
前記環状体の通孔の直径が前記キャップの槽孔の直径と同じ大きさである請求項３に記載の靴用スパイク。
【請求項５】
前記環状体の周縁部に六角ナットを突出状に設けた請求項３に記載の靴用スパイク。
【考案の詳細な説明】
【技術分野】
【０００１】
本考案は靴用スパイクに関し、詳細には、運動靴の靴底のナット座体に螺合可能なスパイクであって、スパイクと靴底の結合の緊密度を強化する靴用スパイクに関する。
【背景技術】
【０００２】
現在、スポーツの品質向上のため、さまざまなタイプの運動靴があり、各種スポーツの特性の必要性にあわせて設計されている。例えばサッカーを例にとると、サッカーは世界的なスポーツであり、プレイヤーが攻撃または防御するとき、すばやく移動したり静止したりする必要があるため、運動靴の靴底に複数のスパイクを設けて防滑力を強化しているが、スパイクが古くなったときの交換と手入れを便利にするため、その構造上スパイクのスタッドにはナット座体に螺合が可能なネジ山が設けられている。
【０００３】
図１に示すように、従来のスパイクの構造は、靴底上の特に予め定めた位置に複数のナット座体６０を設け、各ナット座体上にスタッド６１を螺合する。これらスタッド６１はネジ山を有するボルト体６２を備え、このボルト体６２の一端に直径がやや大きいヘッド部６３を設け、さらに、このヘッド部の周縁部に径方向に複数の凹み槽６４を形成し、且つ、これら凹み槽の外側にキャップ６５を強制的にはめ込み、このキャップの下端部に同時にスタッド座部６６を嵌合して成る。ボルト体６２をナット座体に螺合することで、スパイクの交換と手入れを楽に行うことができるようになっているが、従来のスタッドを靴底に螺合するとき、スパナなどを用いて締め付けるときの回転施力が大きすぎてしまうことがよくあり、ボルト体６２がネジ山の作用で下方向へ移動を続け、スタッド座部６６が最低位置までねじ込まれるとナット座体の端面に当たって反作用力が形成され、凹み槽６４が径方向に設けられているために、キャップ６５がヘッド部の径方向の凹み槽に沿って移動し、外へ向かって外れてしまいやすく、ボルト体６２とキャップ６５が相互に反対方向の移動を行い間隙(図２参照)が生まれて緩んでしまい、キャップがヘッド部を離脱し破損してしまうことがあるため、理想的とは言いがたい。
【０００４】
本考案は、従来のスパイクの構造にある上述の欠点に鑑みて、積極的な研究と度重なる試験を経て開発された、よりしっかりとスタッドを固定することができるスパイクを提供する。
【考案の開示】
【考案が解決しようとする課題】
【０００５】
本考案の主な目的は、スタッドを靴底のナット座体に螺合するとき、ねじ込むときの回転施力が大きすぎ、接続ボルトとキャップが離脱してしまうことのない靴用スパイクを提供することにある。
【課題を解決するための手段】
【０００６】
上述の目的を達するため、本考案は接続ボルト及びこの接続ボルト上に被せて設置するキャップから構成され、そのうち、該接続ボルトはボルト体であり、このボルト体の一端に直径がやや大きいヘッド部を設け、このヘッド部の周縁部に上述のボルト体のネジ山と同じ偏向回転方向の斜め槽を設け、前記キャップは蓋体であり、このキャップの底面に前記接続ボルトのヘッド部より直径がやや小さい槽孔を設け、この槽孔を前記接続ボルトのヘッド部上に強制的に嵌合してスタッドを構成する。これにより、該スタッドを靴底のナット座体に螺合するとき、ねじ込む際の回転施力が大きすぎて接続ボルトとキャップが離脱してしまうということがない。        
【考案を実施するための最良の形態】
【０００７】
本考案のその他特徴及び具体的な実施例について、以下図面に基づき詳細に説明する。
【実施例１】
【０００８】
図１及び図２に示すのは従来のスパイクの構造であり、その欠点は前述の通り詳細に説明済みであるため、ここでは説明を省略する。
【０００９】
図３から図５に示すように、本考案の靴用スパイクは、スタッド１が少なくとも接続ボルト１０及びこの接続ボルト上に被せて設置するキャップ２０から構成される。
【００１０】
前記接続ボルト１０はボルト体であり、その棒体上にネジ山１１を設け、ボルト体の他端に直径がやや大きいヘッド部１２を設置し、このヘッド部１２の周縁部に上述のボルト体のネジ山１１と同じ偏向回転方向の斜め槽１３を設け、且つ、この斜め槽１３の上方に前記キャップ２０を嵌合する。このキャップ２０は蓋体であり、該キャップの底面の周縁部に六角ナット２１を突出させて設け、ソケットスパナ４０(図７参照)を被せ回転させて使用することができ、この六角ナット２１の下端部に前記接続ボルト１０のヘッド部１２より直径がやや小さい槽孔２２を設け、且つ、この槽孔２２を前記接続ボルト１０のヘッド部１２上に嵌合し、干渉個所aを形成する。これにより、接続ボルト１０とキャップ２０をしっかりと結合させたスタッド１が構成される。
【００１１】
図５、図６に示すように、スタッド１を靴３０底面のナット座体３１に螺合するとき(図７参照)、まずソケットスパナ４０をキャップ２０の六角ナット２１上に被せ、靴３０底面のナット座体３１内に接続ボルト１０を入れて回転させ、ネジ山１１とナット座体３１内の雌ネジ３２を螺合する。スタッド１をねじ込む際に回転施力が大きすぎると、接続ボルト１０のヘッド部１２に設けたネジ山１１と同じ偏向回転方向の斜め槽１３が、キャップ２０とヘッド部１２の干渉個所aに対し、斜め槽１３により生まれる螺旋現象によりキャップ２０を下方向へと導くため、キャップ２０がナット座体３１の上面に当たることで反作用力が形成されて接続ボルト１０とキャップ２０が緩むという現象を防ぐことができ、これによりスタッド１を靴３０のナット座体３１に螺合するとき、ねじ込む際の回転施力が大きすぎ接続ボルトとキャップが離脱してしまうということがない。
【実施例２】
【００１２】
図８に示すように、本考案の別の実施例においては、別途環状体５０を設け、この環状体５０の上面に前記キャップ２０の槽孔２２と直径が同じ通孔５１を設け、且つ、環状体５０の周縁部に六角ナット５２を突出させて設け、組み立て時にはまず接続ボルト１０のヘッド部１２をキャップ２０に嵌合し、突出状の接続ボルト１０のヘッド部１２の部分をさらに環状体５０の通孔５１に穿通し、キャップ２０と環状体５０の上面を相互に密着させる。
【００１３】
上述のように、本考案のスパイクの構造は、簡易で迅速に接続ボルトとキャップを固定することができ、靴底のナット座体に螺合するときにもねじ込む際の回転施力が大きすぎて接続ボルトとキャップが離脱してしまうということがなく、産業的利用価値を備えており、法に基づきここに実用新案登録の出願を提出するものである。
【００１４】
上述に本考案の具体的な実施例を示したが、本考案はこの実施例に制限されることはなく、関連技術に詳しい人物によるあらゆる修飾や変化もすべて本考案に含まれるものとみなし、本考案は請求項においてその完全な範囲が定義される。      
【図面の簡単な説明】
【００１５】
【図１】従来のスパイクの断面図である
【図２】従来のスタッドを過度にねじ込んだときの断面図である。
【図３】本考案の立体外観図である。
【図４】本考案の立体分解図である。
【図５】本考案の断面図である。
【図６】本考案を靴底に組み込んだときの断面図である。
【図７】本考案を靴底に組み込んだときの立体図である。
【図８】本考案の別の実施例の立体分解図である。
【符号の説明】
【００１６】
１        スタッド
１０        接続ボルト            
１１        ネジ山
１２        ヘッド部              
１３        斜め槽
２０        キャップ              
２１        六角ナット
２２        槽孔              
３０        靴              
３１        ナット座体
３２        雌ネジ
４０        ソケットスパナ
５０        環状体            
５１        通孔
５２        六角ナット
６０        ナット座体              
６１        スタッド
６２        ボルト体              
６３        ヘッド部
６４        凹み槽              
６５        キャップ
６６        スタッド座部
【図１】
0003119950.tif 000003
【図２】
0003119950.tif 000004
【図３】
0003119950.tif 000005
【図４】
0003119950.tif 000006
【図５】
0003119950.tif 000007
【図６】
0003119950.tif 000008
【図７】
0003119950.tif 000009
【図８】
0003119950.tif 000010